(57)【要約】【目的】親綱支柱は、作業者の落下事故を防止するためのものであり、足を踏み外して落下する作業者の体重を支えることが可能なだけの強度を備える必要がある。したがって、パイプ材も肉厚なものとする必要があり、総重量が大きくなりがちであった。かように重量が大きいと、現場への搬送作業が負担の大きなものになりがちである。そこで本発明は、落下事故を防止するために十分な強度を備えながらも、重量を小さくすることが可能な親綱支柱を提供することを目的とする。【構成】パイプ材及び挟着部材とにより成る親綱支柱において、パイプ材の下部に第二パイプ部材を装入し、該パイプ材及び第二パイプ材と挟着治具を、ボルト・ナット及びボルトでボルト止めして構成した。 【選択図】 図１
2020039603.tif 000002
【特許請求の範囲】
【請求項１】
パイプ材及び挟着治具とにより成る親綱支柱において、
パイプ材（３０）の下部に第二パイプ部材（３２）を装入し、該パイプ材（３０）及び第二パイプ材（３２）と挟着治具（４０）を、ボルト・ナット（５３）及びボルト（５４）でボルト止めしたことを特徴とする親綱支柱。
【発明の詳細な説明】
【技術分野】
【０００１】
本発明は、建設工事の安全用仮設具として、親綱を掛け渡すために使用する親綱支柱に関するものである。
【背景技術】
【０００２】
例えば、建築作業や土木作業時に組み立てられる仮設足場の足場板や梁鉄骨には、親綱支柱が上方突出状に複数取り付けられることがある。具体的には、図１２に図示するように、被取付け体１のフランジ１ａの縁端部を、親綱支柱１０の挟着治具１２によって挟み込むことで、親綱支柱１０を被取付け体１に設置するものである。
【０００３】
親綱支柱１０の上端には掛着リング１５が設けてあり、図１３に示すように各親綱支柱１０・・それぞれの掛着リング１５・・間に親綱２を通し、該親綱２に作業者の安全ベルトを移動自在に取り付けることで、作業者の安全を図るものである。
【０００４】
上記親綱支柱の一般的な態様は実開平５−５２１１９号公報に開示されるようなものであり、具体的には図１２に示すように、金属製パイプ材１１と開口部１３を備えた金属製挟着治具１２からなるものである。パイプ材１１と挟着治具１２とは、ボルト・ナット１４によりボルト止めされるものである。
【先行技術文献】
【特許文献】
【０００５】
【特許文献１】実開平５−５２１１９号公報
【発明の開示】
【発明が解決しようとする課題】
【０００６】
上記のように構成される親綱支柱は、作業者の落下事故を防止するためのものであり、足を踏み外して落下する作業者の体重を支えることが可能なだけの強度を備える必要がある。したがって、パイプ材も肉厚なものとする必要があり、総重量が大きくなりがちであった。
【０００７】
かように重量が大きいと、現場への搬送作業が負担の大きなものになりがちである。
【０００８】
そこで本発明は、落下事故を防止するために十分な強度を備えながらも、重量を小さくすることが可能な親綱支柱を提供することを目的とする。
【課題を解決するための手段】
【０００９】
上記の目的を達成する本発明の構成は以下の通りである。
【００１０】
パイプ材及び挟着部材とにより成る親綱支柱において、パイプ材の下部に第二パイプ部材を装入し、該パイプ材及び第二パイプ材と挟着治具を、ボルト・ナット及びボルトでボルト止めして構成した。
【発明の効果】
【００１１】
作業者が転落した際などの荷重により親綱支柱が破損するのは、主にパイプ材と挟持治具との固定部位である。
【００１２】
本発明に係る親綱支柱は、パイプ材の下部に第二パイプ材を装入することで二重構造とし、強度を増している。そして、この二重構造に成っている部位で、パイプ材・第二パイプ材と挟持治具をボルト止めしている。
【００１３】
すなわち、パイプ材と挟持治具との固定部位の強度を高めているので、パイプ材の厚みを薄くすることで重量を軽量化しても、転落事故等の際に親綱支柱にかかる負荷に耐えうるものとなるのである。
【図面の簡単な説明】
【００１４】
【図１】本発明に係る親綱支柱の正面図
【図２】同、背面図
【図３】同、左側面図
【図４】パイプ材の正面図
【図５】同、右側面図
【図６】図４におけるＡ‐Ａ線断面図
【図７】図４におけるＢ‐Ｂ線断面図
【図８】第二パイプ材の斜視図
【図９】挟着治具の側面図
【図１０】挟着治具の正面図
【図１１】挟着治具の斜視図
【図１２】従来例に係る親綱支柱の使用状態を示す説明図
【図１３】従来例に係る親綱支柱の使用状態を示す説明図
【発明を実施するための形態】
【００１５】
本発明に係る親綱支柱２０は、パイプ材３０及び挟着治具４０とにより成るものである。
【００１６】
図４、図５に示すように、パイプ材３０は、アルミニウム押出形材製の角パイプ材からなるもので、そのアルミニウムとしては例えばＪＩＳ６０００系アルミニウム合金が用いられている。パイプ材３０の上下方向長さは、例えば８５３ｍｍ程度である。
【００１７】
図７に示すように、このパイプ材３０の上端には、その開口を閉塞するコ字状の端板３１がボルト・ナット３３によりボルト止めされている。
【００１８】
この端板３１の上面に、親綱の掛着部として、掛着用リング３４が立設されている。この掛着用リング３４は、Ｕ字ボルトを利用している。親綱の端部に取り付けたフックを掛着用リング３４に引掛けることより、親綱を掛着することができるようになっている。掛着用リング３４の両端にはねじ溝が設けてあり、ナット３４ｂにより端板３１にボルト止めされるものである。
【００１９】
図７に示されるように、パイプ材３０の下部には、第二パイプ部材３２が装入してある。第二パイプ材３０は図８に示されるように中空の直方体形状の角パイプ材であり、上下方向長さは、例えば２５０ｍｍ程度である。第二パイプ部材として角パイプ材を用いるのはむろん一例であり、円柱状のパイプその他任意の柱材を利用可能である。
【００２０】
挟着治具４０は、パイプ部材３０を鉄骨フランジ部等の被取付け体に取り外し自在に取り付けるためのもので、図９に示されるように側面視略Ｃ字状に形成されるとともに、その開口部４１において鉄骨フランジ部等を挟着するものである。
【００２１】
この挟着治具４０は、アルミニウム押出形材製で、例えばＪＩＳ６０００系アルミニウム合金が用いられている。この押出形材は、図９に示すように、押出方向つまり幅方向に貫通した複数個の断面略四角形或いは略三角形状の中空部４２・・を有するとともに、これら中空部４２・・が所定位置に形成されることによって、トラス構造を有するものである。
【００２２】
すなわち、この押出形材は、挟着治具４０の外周面を形成する所定肉厚の外周面形成壁部４３が、ジグザグに並んだ複数のウェブ壁部４４・・によって連結補強されているものである。このように、この挟着治具４０は、トラス構造を有する押出形材からなるので、軽量でかつ堅牢なものとなっている。しかも、押出形材がアルミニウムからなるので、軽量なものとなっている。
【００２３】
また、図３に示すように、この挟着治具４０の上顎部４５には、該上顎部４５を上下方向に貫通した２本の押しボルト４６・４６が幅方向に並んで取り付けられている。これら押しボルト４６・４６は、図１１に示すように、前記上顎部４５に設けられたネジ孔４７・４７に螺合しているものである。そして、挟着治具４０は、これら押しボルト４６・４６を回転させて該押しボルト４６・４６を下方に移動させることにより、前記開口部４１に嵌め込まれた被取付け体である鉄骨フランジ部等を下顎部４８の上面に強く押し付け、これにより該被取付け体を挟着可能となるものである。また、前記下顎部４８の上面には、幅方向に延びる滑り止め用の複数の凹凸条４９・・が形成されている。
【００２４】
また、図９乃至図１１に示すように、この挟着治具４０の上端部には、前後に対向した幅方向に延びる一対の取付け片５０・５０が上方突出状に連設されている。
【００２５】
そして、図３や図７、図８に示すように、前記両取付け片５０・５０と前記パイプ材３０と前記第二パイプ材３２とが、ボルト・ナット５３及びボルト５４によって締結されている。すなわち、前記両取付け片５０・５０には、図１１に示すように、ボルト挿通孔５１・５１及びネジ孔５２が穿設されている。また、前記パイプ材３０と前記第二パイプ材３２には、この挿通孔５１・５１及びネジ孔５２に対応したボルト挿通孔及びネジ孔３０ａ，３０ａ，３０ｂ，３２ａ，３２ａ，３２ｂがそれぞれ穿設されている。そして、締結用のボルト・ナット５３がこれらボルト挿通孔３０ａ・・，３２ａに挿通されると共に、締結用のボルト５４がこれらネジ孔３０ｂ，３２ｂに螺通されることで、両取付け片５０,５０とパイプ材３０、第二パイプ材３２とが固定されるものである。
に強固に連結することができる。
【符号の説明】
【００２６】
２０・・親綱支柱
３０・・パイプ材
３１・・端板
３２・・第二パイプ材
３３・・ボルト・ナット
３４・・掛着用リング
３４a・・間隙
３４ｂ・・ナット
４０・・挟着治具
４１・・開口部
４２・・中空部
４３・・外周面形成壁部
４４・・ウェブ壁部
４５・・上顎部
４６・・押しボルト
４７・・ネジ孔
４８・・下顎部
４９・・凹凸条
５０・・取付け片
５１・・挿通孔
５２・・ネジ孔
５３・・ボルト・ナット
５４・・ボルト
【図１】
2020039603.tif 000003
【図２】
2020039603.tif 000004
【図３】
2020039603.tif 000005
【図４】
2020039603.tif 000006
【図５】
2020039603.tif 000007
【図６】
2020039603.tif 000008
【図７】
2020039603.tif 000009
【図８】
2020039603.tif 000010
【図９】
2020039603.tif 000011
【図１０】
2020039603.tif 000012
【図１１】
2020039603.tif 000013
【図１２】
2020039603.tif 000014
【図１３】
2020039603.tif 000015